(57)【要約】【課題】連続したページの内容を利用者が確認する場面における利便性を向上させることが可能な、情報処理装置、情報処理方法、及びプログラムを提案する。【解決手段】複数のページを含むコンテンツにおいて、ページを連続に送るページ送り部と、前記ページ送り部によるページ送りの際に、表示画面に表示されるページの枚数を利用者の操作に応じて変化させる表示制御部と、を備える、情報処理装置。【選択図】図６
2015106363.tif 000002
【特許請求の範囲】
【請求項１】
複数のページを含むコンテンツにおいて、ページを連続に送るページ送り部と、
前記ページ送り部によるページ送りの際に、表示画面に表示されるページの枚数を利用者の操作に応じて変化させる表示制御部と、
を備える、情報処理装置。
【請求項２】
前記ページ送り部は、前記表示画面に表示されるページの枚数を単位として、ページを連続に送る、請求項１に記載の情報処理装置。
【請求項３】
前記ページ送り部がページを送る速度は、前記表示画面に表示されるページの枚数に依存しない、請求項１に記載の情報処理装置。
【請求項４】
前記情報処理装置は、前記表示画面に対する利用者のタッチ操作を検出する操作検出部をさらに備え、
前記ページ送り部は、前記操作検出部により前記利用者のタッチ操作が検出された場合に、ページを連続に送る、請求項１に記載の情報処理装置。
【請求項５】
前記利用者のタッチ操作は、前記表示画面上で前記利用者が指をスライドさせる操作を含み、
前記ページ送り部は、前記操作検出部により前記利用者が指を一の方向へスライドさせる操作が検出された場合に、ページを連続に送る、請求項４に記載の情報処理装置。
【請求項６】
前記表示制御部は、前記操作検出部により前記利用者のタッチ操作が検出された場合には、前記表示画面に表示されるページの枚数を利用者に指定させるためのガイドを前記表示画面にさらに表示させ、
前記表示制御部は、前記ガイドにおいて利用者により指定された枚数のページを前記表示画面に表示させる、請求項４に記載の情報処理装置。
【請求項７】
前記ガイドは、前記表示画面に表示されるページの枚数の複数の候補を示す表示を含み、
前記情報処理装置は、前記操作検出部による検出結果に基づいて、前記ガイドに含まれたページの枚数の複数の候補のうち利用者により選択された候補を特定する選択特定部をさらに備え、
前記表示制御部は、前記選択特定部により特定された枚数のページを前記表示画面に表示させる、請求項６に記載の情報処理装置。
【請求項８】
前記利用者の操作は、前記表示画面上で利用者が指をスライドさせる操作を含み、
前記選択特定部は、前記操作検出部により検出される、前記表示画面上の一の方向における前記利用者の指のスライド量に応じて、前記ガイドに含まれた前記ページの枚数の複数の候補のうちいずれの候補が利用者により選択されたかを特定する、請求項７に記載の情報処理装置。
【請求項９】
前記表示制御部は、前記表示画面において前記操作検出部により検出された利用者の指の位置に前記ガイドを表示させる、請求項６に記載の情報処理装置。
【請求項１０】
前記ページ送り部は、前記表示画面に対する前記利用者の第１の指によるタッチが前記操作検出部により検出されている場合に、ページを連続に送る、請求項４に記載の情報処理装置。
【請求項１１】
前記ページ送り部は、さらに、前記表示画面に対する前記利用者の第２の指によるタッチが前記操作検出部により検出された場合には、前記ページ送りを停止させる、請求項１０に記載の情報処理装置。
【請求項１２】
前記ページ送り部は、さらに、前記表示画面から前記利用者の第２の指が離されたことが前記操作検出部により検出された場合には、前記ページ送りを再開させる、請求項１１に記載の情報処理装置。
【請求項１３】
前記情報処理装置は、携帯型の装置であり、
前記情報処理装置は、前記表示画面を表示する表示部をさらに備える、請求項１に記載の情報処理装置。
【請求項１４】
複数のページを含むコンテンツにおいて、ページを連続に送るステップと、
ページ送りの際に、表示画面に表示されるページの枚数を利用者の操作に応じてプロセッサにより変化させるステップと、
を備える、情報処理方法。
【請求項１５】
コンピュータを、
複数のページを含むコンテンツにおいて、ページを連続に送るページ送り部と、
前記ページ送り部によるページ送りの際に、表示画面に表示されるページの枚数を利用者の操作に応じて変化させる表示制御部、
として機能させるための、プログラム。
【発明の詳細な説明】
【技術分野】
【０００１】
本開示は、情報処理装置、情報処理方法、及びプログラムに関する。
【背景技術】
【０００２】
近年、紙の書籍のように、大量のページを含む文書データを利用者が閲覧可能な電子書籍が開発されている。この電子書籍では、利用者は、例えば電子書籍の表示画面に対してフリックなどのタッチ操作を行うことにより、表示画面に表示されるページを切り替えることが可能である。
【０００３】
例えば、特許文献１には、電子書籍において、送りボタンが利用者により操作されると、所定のページずつページを送る技術が開示されている。
【先行技術文献】
【特許文献】
【０００４】
【特許文献１】特開２００５−５６０４２号公報
【発明の概要】
【発明が解決しようとする課題】
【０００５】
しかしながら、上記の技術では、連続したページの内容を利用者が確認する場面における利便性が低い。例えば、上記の技術では、ページを送る際の、ページの枚数が固定されている。このため、例えばページ送りする単位の枚数が多いと利用者が感じる場合には、利用者はページの確認に支障を感じる。また、ページ送りする単位の枚数が少ないと利用者が感じる場合には、利用者はページの確認を退屈に感じる。
【０００６】
そこで、本開示では、連続したページの内容を利用者が確認する場面における利便性を向上させることが可能な、新規かつ改良された情報処理装置、情報処理方法、及びプログラムを提案する。
【課題を解決するための手段】
【０００７】
上記課題を解決するために、本開示のある観点によれば、複数のページを含むコンテンツにおいて、ページを連続に送るページ送り部と、前記ページ送り部によるページ送りの際に、表示画面に表示されるページの枚数を利用者の操作に応じて変化させる表示制御部と、を備える、情報処理装置が提供される。
【０００８】
また、上記課題を解決するために、本開示の別の観点によれば、複数のページを含むコンテンツにおいて、ページを連続に送るステップと、ページ送りの際に、表示画面に表示されるページの枚数を利用者の操作に応じてプロセッサにより変化させるステップと、を備える、情報処理方法が提供される。
【０００９】
また、上記課題を解決するために、本開示の別の観点によれば、コンピュータを、複数のページを含むコンテンツにおいて、ページを連続に送るページ送り部と、前記ページ送り部によるページ送りの際に、表示画面に表示されるページの枚数を利用者の操作に応じて変化させる表示制御部、として機能させるための、プログラムが提供される。
【発明の効果】
【００１０】
以上説明したように本開示によれば、連続したページの内容を利用者が確認する場面における利便性を向上させることができる。なお、ここに記載された効果は必ずしも限定されるものではなく、本開示中に記載されたいずれかの効果であってもよい。
【図面の簡単な説明】
【００１１】
【図１】本実施形態による電子ペーパー１０の基本構成を示した説明図である。
【図２】同実施形態による電子ペーパー１０の断面図を示した説明図である。
【図３】同実施形態による電子ペーパー１０のハードウェア構成を示した説明図である。
【図４】同実施形態による電子ペーパー１０の構成を示した機能ブロック図である。
【図５】同実施形態によるページの表示例を示した説明図である。
【図６】同実施形態によるページの表示例を示した説明図である。
【図７】同実施形態によるページの表示例を示した説明図である。
【図８】同実施形態による表示制御部１０６による表示ページの枚数の制御例を示した説明図である。
【図９】同実施形態によるページの表示例を示した説明図である。
【図１０】同実施形態によるページの表示例を示した説明図である。
【図１１】同実施形態によるページの表示例を示した説明図である。
【図１２】同実施形態によるページ送り部１０４によるページ送りの一例を示した説明図である。
【図１３】同実施形態によるページ送り部１０４によるページ送りの一例を示した説明図である。
【図１４】同実施形態によるページ送り部１０４によるページ送りの一例を示した説明図である。
【図１５】同実施形態による動作を示したフローチャートである。
【図１６】本開示の変形例によるページの表示例を示した説明図である。
【図１７】同変形例によるページの表示例を示した説明図である。
【図１８】同変形例によるページの表示例を示した説明図である。
【図１９】同変形例によるページの表示例を示した説明図である。
【図２０】同変形例によるページの表示例を示した説明図である。
【図２１】同変形例によるページの表示例を示した説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下に示す項目順序に従って当該「発明を実施するための形態」を説明する。
１．背景
２．基本構成
３．実施形態の詳細な説明
３−１．構成
３−２．動作
３−３．効果
４．変形例
【００１４】
＜＜１．背景＞＞
本開示は、一例として「３．実施形態の詳細な説明」において詳細に説明するように、多様な形態で実施され得る。最初に、本開示の特徴を明確に示すために、本開示による情報処理装置を創作するに至った背景について説明する。
【００１５】
近年、紙の資料と同じように、ページという概念が存在するコンテンツデータを閲覧するための装置またはソフトウェアが各種開発されている。利用者は、このような装置またはソフトウェアを介して、一つのコンテンツデータに記録されている大量の枚数のページを閲覧することが可能となる。
【００１６】
従来、このようなコンテンツデータを閲覧するための技術として、下記の３種類の技術が提案されている。第１に、例えばフリック操作などにより、利用者がページを繰ることが可能な技術が提案されている。しかしながら、この技術では、大量のページを利用者が確認する場合には、ページを繰る操作を大量に繰り返す必要があるので、利用者は疲労を感じたり、また、長時間が必要となる。
【００１７】
第２に、連続でページを送りながら、ページを表示する技術が提案されている。しかしながら、この技術では、常に一定の速度でしかページを送ることができず、閲覧しやすい速度に利用者が調整することができない。このため、例えばページを送る速度が速すぎると利用者が感じる場合には、利用者がページの確認に支障を感じる。または、ページを送る速度が遅すぎると利用者が感じる場合には、ページの確認を利用者が退屈に感じたり、また、必要以上に時間がかかる。
【００１８】
第３に、表示画面に表示されるスライドバーを利用者が操作することにより、表示ページを変更させる技術が提案されている。しかしながら、この技術では、表示画面に表示されるページが飛び飛びになってしまうので、変更前後のページの間に存在する複数のページの内容を利用者が確認することができないという課題がある。
【００１９】
そこで、上記事情を一着眼点にして本開示による情報処理装置を創作するに至った。本開示による情報処理装置は、連続したページの内容を利用者が確認する場面における利便性を向上させることができる。
【００２０】
＜＜２．基本構成＞＞
次に、本開示による情報処理装置の基本構成について図１を参照して説明する。図１に示した電子ペーパー１０は、本開示による情報処理装置の一例である。図１に示したように、電子ペーパー１０は、表示画面２０を表示するディスプレイを有した携帯型の装置である。
【００２１】
電子ペーパー１０は、例えば利用者の操作に応じて、後述する記憶装置１７２に記憶される、複数のページを含むコンテンツデータの中から任意のページを表示画面２０に表示させることが可能である。
【００２２】
＜２−１．断面の構成＞
ここで、図２を参照して、電子ペーパー１０の断面の構成について説明する。図２は、図１の上下方向または左右方向における電子ペーパー１０の断面を示した説明図である。図２に示したように、電子ペーパー１０は、底面から順に、ケース１８２、メイン基盤１８０、電磁誘導タッチパネル１５８、ディスプレイ１６６、タッチ検出装置１６０が積層されて構成される。
【００２３】
［２−１−１．タッチ検出装置１６０］
タッチ検出装置１６０は、情報処理装置において、ディスプレイ１６６を囲う外周の枠のように構成される。このタッチ検出装置１６０は、上下、または左右の端部間で例えば赤外線を発することにより、ディスプレイ１６６の表面上に配置される例えば利用者の指などの位置を検出することが可能である。
【００２４】
［２−１−２．電磁誘導タッチパネル１５８］
また、電磁誘導タッチパネル１５８は、例えば磁界を発生する専用ペンのペン先がディスプレイ１６６に接触された位置を検出することが可能なパネルである。例えば、電磁誘導タッチパネル１５８は、専用ペンから電磁エネルギーを受け取ることにより、専用ペンがディスプレイ１６６に接触された位置を検出することが可能である。
【００２５】
［２−１−３．ディスプレイ１６６］
また、ディスプレイ１６６は、例えば、電気泳動ディスプレイ（EPD:Electrophoretic Display）により構成される表示装置である。このディスプレイ１６６は、後述する表示部１１０の一部の機能を実現する。
【００２６】
＜２−２．ハードウェア構成＞
また、電子ペーパー１０は、例えば図３に示すようなハードウェア構成を有する。図３に示したように、電子ペーパー１０は、ＣＰＵ１５０、電源１５２、バッテリー１５４、入力装置１５６、電磁誘導タッチパネル１５８、タッチ検出装置１６０、通信モジュール１６２、アンテナ１６４、ディスプレイ１６６、外部接続端子１６８、ＲＡＭ１７０、および記憶装置１７２を備える。なお、電磁誘導タッチパネル１５８、タッチ検出装置１６０、およびディスプレイ１６６ついては、２−１節において説明したので、ここでは説明を省略する。
【００２７】
［２−２−１．ＣＰＵ１５０］
ＣＰＵ１５０は、マイクロプロセッサなどのプロセッサにより構成される。このＣＰＵ１５０は、演算処理装置および制御装置として機能し、各種プログラムに従って電子ペーパー１０内の動作全般を制御する。例えば、ＣＰＵ１５０は、電子ペーパー１０において制御部１００の機能を実現する。
【００２８】
［２−２−２．電源１５２］
電源１５２は、例えば、ＣＰＵ１５０が演算または制御を行うために必要な電力を供給するための装置である。電源１５２は、例えば、入力電力の電圧を変えて出力電力を生成する電源回路などを含む。
【００２９】
［２−２−３．バッテリー１５４］
バッテリー１５４は、充電されることにより電気を蓄積することが可能な電池である。バッテリー１５４は、例えばリチウムイオン二次電池により構成される。
【００３０】
［２−２−４．入力装置１５６］
入力装置１５６は、例えばボタン、およびスイッチなどユーザが情報を入力するための入力手段と、ユーザによる入力に基づいて入力信号を生成する入力制御回路などから構成される。
【００３１】
［２−２−５．通信モジュール１６２］
通信モジュール１６２は、例えばインターネットなどの通信網に接続するための通信デバイス等で構成される。例えば、通信モジュール１６２は、無線ＬＡＮ対応通信装置、またはＬＴＥ（Long Term Evolution）対応通信装置などを含む。
【００３２】
［２−２−６．アンテナ１６４］
アンテナ１６４は、空間の電磁波を受信し、受信された電磁波を電気信号に変換する。また、アンテナ１６４は、通信モジュール１６２により生成される電気信号を電磁波に変換して、空間に放射する。
【００３３】
［２−２−７．外部接続端子１６８］
外部接続端子１６８は、電子ペーパー１０を他の機器と接続させるために設置された端子である。例えば、外部接続端子１６８は、ＵＳＢ（Universal Serial Bus）ケーブルに接続するためのＵＳＢ端子などを含む。
【００３４】
［２−２−８．ＲＡＭ１７０］
ＲＡＭ１７０は、ＣＰＵ１５０の実行において使用するプログラムや、その実行において適宜変化するパラメータ等を一時記憶する。
【００３５】
［２−２−９．記憶装置１７２］
記憶装置１７２は、例えば後述する記憶部１１２として機能する、データ格納用の装置である。記憶装置１７２は、例えば、記憶媒体、記憶媒体にデータを記録する記録装置、記憶媒体からデータを読み出す読出し装置、または記憶媒体に記録されたデータを削除する削除装置などを含む。
【００３６】
なお、電子ペーパー１０のハードウェア構成は、上述した構成に限定されない。例えば、電子ペーパー１０は、通信モジュール１６２、アンテナ１６４、外部接続端子１６８のうちいずれか１以上を備えなくてもよい。
【００３７】
＜＜３．実施形態の詳細な説明＞＞
以上、本実施形態による電子ペーパー１０の基本構成について説明した。続いて、本実施形態による電子ペーパー１０の構成について詳細に説明する。
【００３８】
＜３−１．構成＞
図４は、本実施形態による電子ペーパー１０の構成を示した機能ブロック図である。図４に示したように、電子ペーパー１０は、制御部１００、表示部１１０、および記憶部１１２を有する。
【００３９】
［３−１−１．制御部１００］
制御部１００は、電子ペーパー１０に内蔵されるＣＰＵ１５０、ＲＡＭ１７０などのハードウェアを用いて、電子ペーパー１０の動作を全般的に制御する。また、図４に示したように、制御部１００は、操作検出部１０２、表示制御部１０４、ページ送り部１０６、および選択特定部１０８を有する。
【００４０】
［３−１−２．操作検出部１０２］
操作検出部１０２は、表示画面２０に対する利用者の指の操作を検出する。例えば、操作検出部１０２は、表示画面２０上の任意の位置を利用者が指で触れる操作であるタッチ操作を検出する。また、操作検出部１０２は、表示画面２０上で利用者が指を触れた状態で指を滑らせる操作であるスライド操作を検出する。また、操作検出部１０２は、表示画面２０上の任意の位置で利用者が指を触れた状態で所定時間以上指を静止させる操作であるホールド操作を検出する。
【００４１】
［３−１−３．表示制御部１０４］
（３−１−３−１．制御例１）
表示制御部１０４は、図５に示したように、例えば後述する記憶部１１２に記憶された、コンテンツデータに含まれるページ４０を表示画面２０に表示させる。例えば、表示制御部１０４は、後述するページ送り部１０６により連続に送られるページを表示画面２０に表示させる。より具体的に説明すると、表示制御部１０４は、ページ送り部１０６によりページが送られる度に、表示画面２０に現在表示されているページを、ページ送り部１０６により送られたページに切り替えて表示画面２０に表示させる。
【００４２】
また、表示制御部１０４は、ページ送り部１０６によるページ送りの際に、表示画面２０に表示されるページの枚数を、操作検出部１０２により検出される利用者のタッチ操作に応じて変化させることが可能である。
【００４３】
なお、例えば図５に示したように、表示制御部１０４は、ページ番号表示欄４２において、表示画面２０に現在表示されているページであるカレントページのページ番号、およびコンテンツデータに含まれるページの総数を表示させることが可能である。図５では、カレントページのページ番号が「５２」、ページの総数が「７００」であることがそれぞれ表示されている例を示している。
【００４４】
（３−１−３−２．制御例２）
また、表示制御部１０４は、表示画面２０に表示されるページの枚数を利用者に指定させるためのインジケータ３０を、後述するページ送り部１０６によりページ送りがされている間に、表示画面２０に表示させることが可能である。なお、詳細については後述するが、ページ送り部１０６がページを送るのは、基本的には、操作検出部１０２により利用者のスライド操作が検出された後に、ホールド操作が検出されている間である。
【００４５】
インジケータ３０は、本開示におけるガイドの一例である。このインジケータ３０は、表示画面２０に表示されるページの枚数の複数の候補を示す画像を含む。
【００４６】
ここで、図５を参照して上記の機能について、より詳細に説明する。図５は、表示制御部１０４によるページの表示制御の一例を示した説明図である。図５に示したように、例えば表示制御部１０４は、操作検出部１０２により表示画面２０に対する利用者のスライド操作が検出された場合には、表示画面２０における利用者の指の位置にインジケータ３０を表示させる。
【００４７】
なお、表示制御部１０４は、表示画面２０における利用者の指の移動に追随させてインジケータ３０の表示位置を移動させることも可能である。例えば、利用者の指が表示画面２０にタッチされたまま上へ移動された場合には、表示制御部１０４は、利用者の指の移動に合わせてインジケータ３０の表示位置を上へ移動させる。
【００４８】
（３−１−３−３．制御例３）
また、表示制御部１０４は、インジケータ３０において利用者により指定された枚数のページを表示画面２０に表示させることが可能である。例えば、表示制御部１０４は、後述するように、選択特定部１０８により特定される、インジケータ３０において利用者により選択された枚数のページを表示画面２０に表示させる。
【００４９】
ここで、図５〜図７を参照して上記の機能に関して、より詳細に説明する。なお、図５〜図７では、インジケータ３０が、表示画面２０に表示されるページの枚数を１枚、４枚、または９枚のうちいずれかを利用者に選択させる画像である例を示している。
【００５０】
例えば、図５に示したように、インジケータ３０に含まれる右の候補画像が利用者により選択された場合には、表示制御部１０４は、１枚のページを表示画面２０に表示させる。また、図６に示したように、インジケータ３０に含まれる中央の候補画像が利用者により選択された場合には、表示制御部１０４は、４枚のページを表示画面２０に表示させる。また、図７に示したように、インジケータ３０に含まれる左の候補画像が利用者により選択された場合には、表示制御部１０４は、９枚のページを表示画面２０に表示させる。
【００５１】
なお、インジケータ３０の画像は、図５〜図７に示したような、複数の候補画像が直線的に並べられた画像に限定されない。例えば、インジケータ３０の画像は、複数の候補画像がリング状に並べられた画像であってもよい。一例として、三角形の各頂点の位置のように、例えば４枚のページを表示させる候補画像が上に、１枚のページを表示させる候補画像が左下に、９枚のページを表示させる候補画像が右下になるように、リング状に並べられた画像であってもよい。
【００５２】
なお、本実施形態では、基本的に、例えばページ番号が最小であるページが一番左上のページに、また、ページ番号が最大であるページが一番右下のページになるように、ページの配置順が固定的に設定されていることを前提とする。例えば４ページ表示の場合には、ページ番号が「４×（Ｎ−１）＋１」（Ｎは正の整数）であるページが左上に、また、ページ番号が「４×Ｎ」であるページが右下になるようにそれぞれ配置される。また、９ページ表示の場合には、ページ番号が「９×（Ｎ−１）＋１」であるページが一番左上に、また、ページ番号が「９×Ｎ」であるページが一番右下になるようにそれぞれ配置される。
【００５３】
ここで、図８を参照して、上記の内容についてより詳細に説明する。図８は、表示画面２０に表示されるページの枚数が、利用者により１枚、４枚、９枚の順に、（ページを送ることなく）変更された場合におけるページの表示例を示した説明図である。例えば、図８におけるページ４０ａのように、ページが１枚表示されている際のカレントページ４００の番号が「２（＝４×（１−１）＋２）」であり、かつ、利用者により４枚表示が選択された場合には、ページ４０ｂに示したように、表示制御部１０４は、カレントページ４００を表示画面２０における右上に表示させる。また、利用者により９枚表示が選択された場合には、ページ４０ｃに示したように、表示制御部１０４は、カレントページ４００を表示画面２０における上段中央に表示させる。
【００５４】
（３−１−３−４．制御例４）
また、表示制御部１０４は、後述するページ送り部１０６によりページ送りが停止した場合には、ページ送りの停止時に表示画面２０に表示されているページの枚数のままで、ページを表示させることが可能である。例えば、ページ送り部１０６により９枚単位でページ送りがなされた後、ページ送りが停止した場合には、図９に示したように、表示制御部１０４は、ページの枚数を９枚でページを表示させる。
【００５５】
（３−１−３−５．制御例５）
また、ページ送り部１０６によりページ送りが停止した状態で、表示画面２０に表示されているページのうちいずれかに対応する位置が例えば利用者のタッチなどにより選択されたことが操作検出部１０２により検出された場合には、表示制御部１０４は、利用者により選択されたページを表示画面２０に表示させることが可能である。
【００５６】
ここで、図１０〜図１１を参照して、上記の機能についてより詳細に説明する。図１０は、図９に示したページの表示時において、表示画面２０に表示されている９枚のページの中からページ４０ａが利用者により選択される場面を示した説明図である。図１０に示したように、利用者によりページ４０ａが選択された場合には、図１１に示したように、表示制御部１０４は、利用者により選択されたページ４０ａを１枚表示で表示画面２０に表示させる。
【００５７】
（３−１−３−６．制御例６）
また、後述するページ送り部１０６によるページ送り中において、表示画面２０において利用者がタッチしている指を例えば上方向へドラッグされたことが操作検出部１０２により検出された場合には、表示制御部１０４は、例えば、表示ページをスクロールさせるためのスクロールバーや、現在のページに関する説明文などの付加的な情報をさらに表示画面２０に表示させることが可能である。また、さらに、利用者がタッチしている指を例えば下方向へドラッグされて、元の位置に戻されたことが操作検出部１０２により検出された場合には、表示制御部１０４は、追加して表示された（上記の）付加的な情報を消去することが可能である。
【００５８】
［３−１−４．ページ送り部１０６］
（３−１−４−１．ページ送り例１）
ページ送り部１０６は、例えば記憶部１１２に記憶されたコンテンツデータにおいて、ページを連続に送る。例えば、ページ送り部１０６は、操作検出部１０２により利用者が指を一の方向へスライドさせる操作が検出された後に、利用者のホールド操作が検出された場合に、ページを連続に送る。より具体的に説明すると、操作検出部１０２により利用者が指を左の方向へスライドさせる操作が検出された後に、利用者のホールド操作が検出された場合には、例えば「ｐ１→ｐ２→・・・」のように、ページを順方向へ連続に送る。また、操作検出部１０２により利用者が指を右の方向へスライドさせる操作が検出された後に、利用者のホールド操作が検出された場合には、例えば「ｐ５→ｐ４→・・・」のように、ページを逆方向へ連続に送る。
【００５９】
（３−１−４−２．ページ送り例２）
また、ページ送り部１０６は、後述する選択特定部１０８により例えばインジケータ３０に対する利用者の選択操作に基づいて特定される枚数を単位として、ページを連続に送ることが可能である。例えば、図５に示したように、表示画面２０に１枚のページが表示されている場合には、ページ送り部１０６は、１枚単位で、ページを連続に送る。同様に、図６に示した例では４枚単位で、また、図７に示した例では９枚単位で、ページ送り部１０６は、それぞれページを連続に送る。
【００６０】
なお、ページ送り部１０６がページを送る速度は、表示画面２０に表示されるページの枚数に依存しないように設定されることが可能である。つまり、仮に表示画面２０に表示されるページの枚数が利用者により増減された場合であっても、ページ送り部１０６がページを送る速度は変化しない。この効果として、ページが連続して送られている際に、利用者は、ページの枚数を変化させることにより、ページの内容を確認しやすいように調整できることが挙げられる。例えば、利用者は表示ページの枚数を多くさせることにより、連続したページの内容をより速く、短時間で確認することができる。また、利用者は表示ページの枚数が少なくさせることにより、連続したページの内容をより詳細に確認することができる。
【００６１】
（３−１−４−３．ページ送り例３）
また、ページ送り部１０６は、ページ送りを開始した後において、例えば利用者の一本の指による表示画面２０に対するホールド操作が操作検出部１０２により検出されている間だけ、ページを連続に送ることが可能である。
【００６２】
図１２は、ページが４枚表示されている場合において、ページ送り部１０６によりページが連続に送られる例を示した説明図である。図１２に示したように、表示画面２０に対する利用者のホールド操作５０が操作検出部１０２により検出されている場合には、ページ送り部１０６は、ページ４０ａ、ページ４０ｂ、ページ４０ｃの順に、４枚単位、つまり表示画面２０に表示されているページの枚数単位で、ページを連続に送る。
【００６３】
（３−１−４−４．ページ送り例４）
また、ページ送り部１０６は、ページ送り中において、さらに、表示画面２０に対して利用者の二本目の指がタッチされたことが操作検出部１０２により検出された場合には、ページ送りを一時停止させることも可能である。また、ページ送り部１０６は、さらに、利用者の二本目の指が表示画面２０から離されたことが操作検出部１０２により検出された場合には、ページ送りを再開させることも可能である。
【００６４】
また、変形例として、ページ送り部１０６は、ページ送り中において、表示画面２０において利用者がタッチしている指を下方向へドラッグされたことが操作検出部１０２により検出された場合には、ページ送りを一時停止させることも可能である。また、ページ送り部１０６は、さらに、利用者がタッチしている指を例えば上方向へドラッグされることにより、元の位置に戻されたことが操作検出部１０２により検出された場合には、ページ送りを再開させることも可能である。
【００６５】
このページ送り例４によれば、ページが連続に送られている途中において、利用者は、例えば関心のある文章や画像などを含むページを見つけた場合などに、ページ送りを一時停止させることにより、ページの内容を詳細に確認することができる。
【００６６】
（３−１−４−５．ページ送り例５）
また、ページ送り部１０６は、表示画面２０に表示されているページの枚数が変更された場合には、変更後のページ送り時において、変更後のページの枚数に基づいてカレントページの番号を設定することが可能である。例えば、ページ送り部１０６は、ページ枚数の変更後のページ送り時において、変更後の枚数のページにおける例えば一番左上など、所定の位置に対応するページの番号に、カレントページの番号を設定する。
【００６７】
ここで、図１３を参照して、上記の機能についてより詳細に説明する。図１３は、表示画面２０に表示されるページの枚数が、利用者により１枚から４枚に変更された後に、ページが（順方向に）送られた例を示した説明図である。図１３におけるページ４０ｂに示したように、利用者により１枚表示から４枚表示に変更された場合におけるカレントページの番号が「２（＝４×（１−１）＋２）」である場合には、ページ４０ｃに示したように、ページ送り部１０６は、変更後の最初のページ送り時において、４枚表示時における左上の位置に対応するページ番号である「５（＝４×（２−１）＋１）」に、カレントページの番号を設定する。
【００６８】
このページ送り例５によれば、ページの枚数が変更された場合には、カレントページの番号が再設定されることにより、ページの配置順自体は変更されない。このため、利用者は、ページを連続に送りながら、ページの枚数を変更しても、ページの並べ方に違和感を感じることがない。
【００６９】
（３−１−４−６．ページ送り例６）
また、ページ送り部１０６は、操作検出部１０２により検出される、表示画面２０に対する利用者のスライドの方向に応じて、ページを送る方向を変化させることが可能である。
【００７０】
ここで、図１４を参照して、上記の機能についてより詳細に説明する。図１４は、表示画面２０に対して利用者により左方向または右方向へスライド操作がなされた場合におけるページ送りの一例を示した説明図である。例えば、ページ４０ａに示したように、表示画面２０に対して利用者により左方向へスライドされたことが操作検出部１０２により検出された場合には、ページ４０ｂに示したように、ページ送り部１０６は、ページを順方向へ送る。また、ページ４０ｂに示したように、表示画面２０に対して利用者により右方向へスライドされたことが操作検出部１０２により検出された場合には、ページ４０ｃに示したように、ページ送り部１０６は、ページを逆方向へ送る。
【００７１】
（３−１−４−７．ページ送り例７）
また、ページ送り部１０６は、ページを順送りしている途中において、コンテンツの最終ページに近づいた場合には、ページを送る速度を遅くさせることが可能である。また、ページ送り部１０６は、ページを逆送りしている途中において、コンテンツの最初のページに近づいた場合には、ページを送る速度を遅くさせることも可能である。
【００７２】
このページ送り例７によれば、ページを送る速度を遅くさせることにより、コンテンツの最終ページ（または最初のページ）に近づきつつあることを利用者に知らせることができる。
【００７３】
［３−１−５．選択特定部１０８］
選択特定部１０８は、操作検出部１０２による検出結果に基づいて、インジケータ３０に含まれたページの枚数の複数の候補のうち利用者により選択された候補を特定することが可能である。より具体的には、選択特定部１０８は、操作検出部１０２により検出される、表示画面２０上の一の方向における利用者の指のスライド量に応じて、インジケータ３０に含まれたページの枚数の複数の候補のうちいずれの候補が利用者により選択されたかを特定することが可能である。
【００７４】
例えば、図５〜図７に示した例では、表示画面２０上の左方向における利用者の指のスライド量が第１の閾量未満であることが操作検出部１０２により検出された場合には、選択特定部１０８は、インジケータ３０に含まれる右側の候補画像が示す枚数（つまり１枚）が利用者により選択されたことを特定する。同様に、左方向における利用者の指のスライド量が、第１の閾量より大きい量である第２の閾量以上であることが操作検出部１０２により検出された場合には、選択特定部１０８は、インジケータ３０に含まれる左側の候補画像が示す枚数（つまり９枚）が利用者により選択されたことを特定する。また、左方向における利用者の指のスライド量が、第１の閾量以上であり第２の閾量未満であることが操作検出部１０２により検出された場合には、選択特定部１０８は、インジケータ３０に含まれる中央の候補画像が示す枚数（つまり４枚）が利用者により選択されたことを特定する。
【００７５】
［３−１−６．表示部１１０］
表示部１１０は、表示制御部１０４による制御に従って、表示画面２０を表示することが可能である。
【００７６】
［３−１−７．記憶部１１２］
記憶部１１２は、例えば、複数のページを含む文書データなどのコンテンツデータを記憶することが可能である。
【００７７】
＜３−２．動作＞
以上、本実施形態による構成について説明した。続いて、本実施形態による動作について説明する。
【００７８】
図１５は、本実施形態による動作を示したフローチャートである。図１５に示したように、まず、例えば利用者によりコンテンツを表示させるための入力が操作検出部１０２により検出された場合には、表示制御部１０４は、記憶部１１２に記憶されているコンテンツデータに含まれる１ページ目を表示画面２０に表示させる（Ｓ１０１）。
【００７９】
その後、制御部１００は、表示画面２０に対する利用者のスライド操作およびホールド操作が操作検出部１０２により検出されるまで待機する（Ｓ１０２）。
【００８０】
操作検出部１０２により利用者のスライド操作が検出された後に、ホールド操作が検出された場合には（Ｓ１０２：Ｙｅｓ）、ページ送り部１０６は、１枚単位で、ページを連続に送る。そして、表示制御部１０４は、ページ送り部１０６によるページ送りに応じて、送られているページを表示画面２０に表示させる（Ｓ１０３）。
【００８１】
続いて、表示制御部１０４は、表示画面２０において利用者がホールドしている指の位置にインジケータ３０を表示させる（Ｓ１０４）。
【００８２】
その後、制御部１００は、例えば指がホールドされている状態から左方向に指をスライドさせる操作のような、インジケータ３０に対するページ枚数の選択操作が操作検出部１０２により検出されるまで待機する（Ｓ１０５）。
【００８３】
ページ枚数の選択操作が操作検出部１０２により検出された場合には（Ｓ１０５：Ｙｅｓ）、選択特定部１０８は、操作検出部１０２により検出された選択操作に基づいて、利用者により指定されたページ枚数を特定する（Ｓ１０６）。
【００８４】
続いて、表示制御部１０４は、選択特定部１０８により特定された枚数のページを表示画面２０に表示させる（Ｓ１０７）。
【００８５】
続いて、ページ送り部１０６は、選択特定部１０８により特定された枚数を単位として、ページを連続に送る。そして、表示制御部１０４は、ページ送り部１０６によるページ送りに応じて、送られているページを表示画面２０に表示させる（Ｓ１０８）。
【００８６】
続いて、制御部１００は、利用者の指が表示画面２０から離れたことが操作検出部１０２により検出されたか否かを判定する（Ｓ１０９）。利用者の指が表示画面２０から離れたことが操作検出部１０２により検出されない場合には（Ｓ１０９：Ｎｏ）、電子ペーパー１０は、Ｓ１０５の動作を繰り返す。
【００８７】
一方、利用者の指が表示画面２０から離れたことが操作検出部１０２により検出された場合には（Ｓ１０９：Ｙｅｓ）、ページ送り部１０６は、ページ送りを停止する（Ｓ１１０）。その後、制御部１００は、表示画面２０に対する利用者のスライド操作およびホールド操作が操作検出部１０２により検出されるまで待機する（Ｓ１１１）。操作検出部１０２により利用者のスライド操作が検出された後に、ホールド操作が検出された場合には（Ｓ１１１：Ｙｅｓ）、電子ペーパー１０は、Ｓ１０８の動作を繰り返す。
【００８８】
＜３−３．効果＞
以上、例えば図４、図１５等を参照して説明したように、本実施形態による電子ペーパー１０は、複数のページを含むコンテンツにおいて、ページを連続に送り、そして、ページ送りの際に、表示画面２０に表示されるページの枚数を利用者のスライド操作に応じて変化させる。このため、連続したページの内容を利用者が確認する場面における利便性を向上させることができる。
【００８９】
例えば、ページ送りの際に、表示ページの枚数を多くさせることにより、利用者は連続したページの内容を短時間で確認することができる。特に、コンテンツに含まれているページ数が大量であり、かつ、利用者が、探しているページの画像を曖昧に記憶している場合において、利用者は、短時間で所望のページを探し出すことができる。また、利用者が大学の教授や研究者などである場合のように、大量のページを含む文献を読むことが必要な場合には、所望のページを検索する際の作業効率を大きく向上させることができる。
【００９０】
また、利用者は、ページ送りの途中において、表示ページの枚数が少なくさせることにより、連続したページの内容をより詳細に確認することができる。特に、ページ送りの途中において、利用者が探しているページに近づきつつあることを利用者が認識した場合において、利用者は、所望のページを確実に探し出すことができる。
【００９１】
また、電子ペーパー１０は、薄型、かつ軽量に構成可能である。このため、利用者は、仮に電子ペーパー１０を片手持ちして、長時間ページを閲覧する場合であっても、ほとんど疲労を感じることがない。
【００９２】
＜＜４．変形例＞＞
なお、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９３】
＜４−１．変形例１＞
例えば、上記の説明では、表示制御部１０４は、操作検出部１０２により検出される、表示画面２０の水平方向における利用者のスライド操作に応じて、表示ページの枚数を変化させる例について説明したが、かかる例に限定されない。変形例１として、表示制御部１０４は、例えば図１６〜図１８に示したように、操作検出部１０２により検出される、表示画面２０の垂直方向における利用者のスライド操作に応じて、表示ページの枚数を変化させることが可能である。
【００９４】
また、表示制御部１０４により表示されるインジケータ３０は、図５に示したような、ページ枚数の複数の候補画像を含む画像に限定されない。例えば、表示制御部１０４は、図１６〜図１８に示したように、利用者のスライド操作時において、スライド量に対応するページ枚数を示す画像をインジケータ３０として表示することも可能である。
【００９５】
より具体的に説明すると、利用者のスライド操作の途中においてスライド量が第１の閾量未満である場合には、表示制御部１０４は、図１６に示したような、１枚表示を示すインジケータ３０ａを表示画面２０に表示させる。同様に、スライド量が第１の閾量以上であり第２の閾量未満である場合には、表示制御部１０４は、図１７に示したような、４枚表示を示すインジケータ３０ｂを表示画面２０に表示させる。また、スライド量が第２の閾量以上である場合には、表示制御部１０４は、図１８に示したような、９枚表示を示すインジケータ３０ｃを表示画面２０に表示させる。
【００９６】
＜４−２．変形例２＞
また、上記の説明では、ページ送り部１０６によるページ送り時において、表示制御部１０４は、表示画面２０における水平方向にページを連続に表示させる例について説明したが、かかる例に限定されない。変形例２として、表示制御部１０４は、ページ送り部１０６によるページ送り時において、垂直方向にページを連続に表示させることも可能である。例えばページ送り部１０６によりページが順送りされている時には、表示制御部１０４は、下から上へ順々に、送られているページを表示させる。また、ページ送り部１０６によりページが逆送りされている時には、表示制御部１０４は、上から下へ順々に、送られているページを表示させる。
【００９７】
＜４−３．変形例３＞
また、変形例３として、表示制御部１０４は、表示画面２０における例えば右側の端部などの所定の場所に、利用者が表示ページをスクロールさせるためのスクロールバー６０を表示させることも可能である。さらに、表示制御部１０４は、スクロールバー６０に対して上または下方向へスライドさせる操作が操作検出部１０２により検出された場合には、操作検出部１０２により検出されたスライド量に応じて、ページを不連続に移動させた後、移動後のページを表示画面２０に表示させることが可能である。
【００９８】
例えば図１９に示したように、表示画面２０において９枚のページが表示されており、かつ、カレントページが「５２」である場合において、利用者がスクロールバー６０を下方向へスライドさせた場合には、表示制御部１０４は、図２０に示したように、検出されたスライド量に応じて、例えばページ番号が「４５１」など、より大きなページ番号のページへ移動させ、かつ、表示画面２０において９枚、つまり同じ枚数のページを表示させる。
【００９９】
なお、電子ペーパー１０は、基本的には、利用者によるスクロールバー６０をスライドさせる操作を、ページ送り部１０６によるページ送りが停止されている場合に受け付ける。
【０１００】
＜４−４．変形例４＞
また、変形例４として、ページ送り部１０６によるページ送りが停止されている場合において、ページを送るためのスライド方向に対して垂直の方向に指をスライドさせる操作が操作検出部１０２により検出された場合には、表示制御部１０４は、操作検出部１０２により検出されたスライド量に応じて、ページを不連続に移動させた後、移動後のページを表示画面２０に表示させることが可能である。
【０１０１】
例えば、ページを送るためのスライド方向が表示画面２０における水平方向として設定されている場合には、図２１に示したように、表示画面２０上の任意の場所において下方向へスライドさせる操作が操作検出部１０２により検出された場合には、表示制御部１０４は、操作検出部１０２により検出されたスライド量に応じて、ページを不連続に順方向に移動させた後、移動後のページを表示画面２０に表示させる。また、利用者により上方向へスライドさせる操作が操作検出部１０２により検出された場合には、表示制御部１０４は、操作検出部１０２により検出されたスライド量に応じて、ページを不連続に逆方向に移動させた後、移動後のページを表示画面２０に表示させる。
【０１０２】
なお、図２１に示したように、表示制御部１０４は、スライド操作の途中におけるページのページ番号を随時表示するための、移動後ページ番号表示欄７０を表示画面２０上にさらに表示させることも可能である。
【０１０３】
この移動後ページ番号表示欄７０によれば、利用者は、スライド操作時において、スライド操作後に表示されるページの番号を知ることができる。このため、利用者は、表示させたいページ番号のページを容易に表示画面２０に表示させることができる。
【０１０４】
＜４−５．変形例５＞
また、変形例５として、ページ送り部１０６によるページ送りが停止されている場合に、表示画面２０において利用者によりピンチインまたはピンチアウトの操作が操作検出部１０２により検出された場合には、表示制御部１０４は、表示画面２０に表示されているページ４０の拡大率を変化させて表示させることが可能である。
【０１０５】
例えば、利用者によりピンチインの操作が操作検出部１０２により検出された場合には、表示制御部１０４は、操作検出部１０２により検出されたピンチインの操作量に応じて、表示画面２０に表示されているページ４０を縮小させて表示させる。また、利用者によりピンチアウトの操作が操作検出部１０２により検出された場合には、表示制御部１０４は、操作検出部１０２により検出されたピンチアウトの操作量に応じて、表示画面２０に表示されているページ４０を拡大させて表示させる。
【０１０６】
＜４−６．変形例６＞
また、本開示による情報処理装置は、上述した電子ペーパー１０に限定されない。例えば、本開示による情報処理装置は、タッチパネルを有したタブレット型の端末、スマートフォン、またはタッチパネルを有したテーブル型の装置などとして構成することも可能である。
【０１０７】
＜４−７．変形例７＞
また、上記の説明では、利用者の操作が、表示画面２０に対するタッチ操作である例について説明したが、かかる例に限定されない。例えば、利用者の操作は、マウスに対する操作であってもよい。一例として、利用者のスライド操作はマウスのドラッグ操作に、利用者のホールド操作はマウスのクリック操作にそれぞれ置き換え可能である。
【０１０８】
＜４−８．変形例８＞
また、本実施形態によれば、ＣＰＵ１５０、およびＲＡＭ１７０などのハードウェアを、上述した電子ペーパー１０の各構成と同等の機能を発揮させるためのコンピュータプログラムも提供可能である。また、該コンピュータプログラムが記録された記録媒体も提供される。
【０１０９】
なお、以下のような構成も本開示の技術的範囲に属する。
（１）
複数のページを含むコンテンツにおいて、ページを連続に送るページ送り部と、
前記ページ送り部によるページ送りの際に、表示画面に表示されるページの枚数を利用者の操作に応じて変化させる表示制御部と、
を備える、情報処理装置。
（２）
前記ページ送り部は、前記表示画面に表示されるページの枚数を単位として、ページを連続に送る、前記（１）に記載の情報処理装置。
（３）
前記ページ送り部がページを送る速度は、前記表示画面に表示されるページの枚数に依存しない、前記（１）または（２）に記載の情報処理装置。
（４）
前記情報処理装置は、前記表示画面に対する利用者のタッチ操作を検出する操作検出部をさらに備え、
前記ページ送り部は、前記操作検出部により前記利用者のタッチ操作が検出された場合に、ページを連続に送る、前記（１）〜（３）のいずれか一項に記載の情報処理装置。
（５）
前記利用者のタッチ操作は、前記表示画面上で前記利用者が指をスライドさせる操作を含み、
前記ページ送り部は、前記操作検出部により前記利用者が指を一の方向へスライドさせる操作が検出された場合に、ページを連続に送る、前記（４）に記載の情報処理装置。
（６）
前記表示制御部は、前記操作検出部により前記利用者のタッチ操作が検出された場合には、前記表示画面に表示されるページの枚数を利用者に指定させるためのガイドを前記表示画面にさらに表示させ、
前記表示制御部は、前記ガイドにおいて利用者により指定された枚数のページを前記表示画面に表示させる、前記（４）または（５）に記載の情報処理装置。
（７）
前記ガイドは、前記表示画面に表示されるページの枚数の複数の候補を示す表示を含み、
前記情報処理装置は、前記操作検出部による検出結果に基づいて、前記ガイドに含まれたページの枚数の複数の候補のうち利用者により選択された候補を特定する選択特定部をさらに備え、
前記表示制御部は、前記選択特定部により特定された枚数のページを前記表示画面に表示させる、前記（６）に記載の情報処理装置。
（８）
前記利用者の操作は、前記表示画面上で利用者が指をスライドさせる操作を含み、
前記選択特定部は、前記操作検出部により検出される、前記表示画面上の一の方向における前記利用者の指のスライド量に応じて、前記ガイドに含まれた前記ページの枚数の複数の候補のうちいずれの候補が利用者により選択されたかを特定する、前記（７）に記載の情報処理装置。
（９）
前記表示制御部は、前記表示画面において前記操作検出部により検出された利用者の指の位置に前記ガイドを表示させる、前記（６）〜（８）のいずれか一項に記載の情報処理装置。
（１０）
前記ページ送り部は、前記表示画面に対する前記利用者の第１の指によるタッチが前記操作検出部により検出されている場合に、ページを連続に送る、前記（４）〜（９）のいずれか一項に記載の情報処理装置。
（１１）
前記ページ送り部は、さらに、前記表示画面に対する前記利用者の第２の指によるタッチが前記操作検出部により検出された場合には、前記ページ送りを停止させる、前記（１０）に記載の情報処理装置。
（１２）
前記ページ送り部は、さらに、前記表示画面から前記利用者の第２の指が離されたことが前記操作検出部により検出された場合には、前記ページ送りを再開させる、前記（１１）に記載の情報処理装置。
（１３）
前記情報処理装置は、携帯型の装置であり、
前記情報処理装置は、前記表示画面を表示する表示部をさらに備える、前記（１）〜（１２）のいずれか一項に記載の情報処理装置。
（１４）
複数のページを含むコンテンツにおいて、ページを連続に送るステップと、
ページ送りの際に、表示画面に表示されるページの枚数を利用者の操作に応じてプロセッサにより変化させるステップと、
を備える、情報処理方法。
（１５）
コンピュータを、
複数のページを含むコンテンツにおいて、ページを連続に送るページ送り部と、
前記ページ送り部によるページ送りの際に、表示画面に表示されるページの枚数を利用者の操作に応じて変化させる表示制御部、
として機能させるための、プログラム。
【符号の説明】
【０１１０】
１０  電子ペーパー
１００  制御部
１０２  操作検出部
１０４  表示制御部
１０６  ページ送り部
１０８  選択特定部
１１０  表示部
１１２  記憶部
１５０  ＣＰＵ
１５２  電源
１５４  バッテリー
１５６  入力装置
１５８  電磁誘導タッチパネル
１６０  タッチ検出装置
１６２  通信モジュール
１６４  アンテナ
１６６  ディスプレイ
１６８  外部接続端子
１７０  ＲＡＭ
１７２  記憶装置
１８０  メイン基盤
１８２  ケース
【図１】
2015106363.tif 000003
【図２】
2015106363.tif 000004
【図３】
2015106363.tif 000005
【図４】
2015106363.tif 000006
【図５】
2015106363.tif 000007
【図６】
2015106363.tif 000008
【図７】
2015106363.tif 000009
【図８】
2015106363.tif 000010
【図９】
2015106363.tif 000011
【図１０】
2015106363.tif 000012
【図１１】
2015106363.tif 000013
【図１２】
2015106363.tif 000014
【図１３】
2015106363.tif 000015
【図１４】
2015106363.tif 000016
【図１５】
2015106363.tif 000017
【図１６】
2015106363.tif 000018
【図１７】
2015106363.tif 000019
【図１８】
2015106363.tif 000020
【図１９】
2015106363.tif 000021
【図２０】
2015106363.tif 000022
【図２１】
2015106363.tif 000023